(57)【特許請求の範囲】
【請求項１】
体を動かすことが困難な状況にある使用者を支持する支持マットと、
前記支持マットにおける、使用者の動かしたい部位に対応する部分を上方に変位させて使用者の体位を微調整する変位動作部と
を有し、
前記変位動作部は、前記支持マットの上面よりも突出した高さ位置になるように設けられ、長手方向に沿って水平に移動する２つの移動変位部材と、前記移動変位部材がそれぞれ移動するための２つの通路と、前記２つの移動変位部材をそれぞれ対応する前記通路に沿って移動させる駆動部とを有し、前記いずれかの移動変位部材を所定位置に移動させて、前記支持マットの対応部分を上方に変位させ、使用者の体位を微調整することを特徴とする体位微調整マットレス。
【請求項２】
前記変位動作部による変位量は、５ｃｍ以下であることを特徴とする請求項１に記載の体位微調整マットレス。
【請求項３】
前記変位動作部に所望の変位動作をさせるように、使用者が操作する操作部と、前記操作部からの情報に基づき、前記変位動作部を制御する制御部とをさらに有し、前記制御部が前記操作部からの操作情報に基づき、前記制御部が前記駆動部を制御して前記いずれかの移動変位部材を所定位置に移動させることを特徴とする請求項１または請求項２に記載の体位微調整マットレス。
【発明の詳細な説明】
【技術分野】
【０００１】
本発明は、外科手術が施された後（術後）の患者等、体を動かすことが困難な状況にある使用者に好適な体位微調整マットレスに関する。
【背景技術】
【０００２】
例えば、外科手術が施された後の患者は、手術による傷の痛みに加え、同じ姿勢でじっとベッドに横たわることによる身体の痛みに悩まされる。特に高齢者や筋肉の少ない女性の場合、傷の痛みよりも、むしろ、じっとしていることによる腰、肩などの痛みのほうが辛い場合さえある。
【０００３】
ベッド上の患者の姿勢を変える手段として、電動式のベッドが知られている（例えば特許文献１）。また、電動ベッドの動きは上下動を主体とするものであるが、上下動のみならず床ずれ等を防止するための体位変換用に傾動可能な電動ベッドも提案されている（例えば特許文献２）。
【先行技術文献】
【特許文献】
【０００４】
【特許文献１】特開２０００−２４５７８２号公報
【特許文献２】特開２０１３−０２２０７４号公報
【発明の概要】
【発明が解決しようとする課題】
【０００５】
しかしながら、上記特許文献に記載された電動ベッドは、ベッド自体を動かす必要があり、機構が大がかりとなって、一台あたりのコストが極めて高いものとなり、小さい病院や自宅などでは採用することは困難である。
【０００６】
また、このような電動ベッドは、使用者の体を起こしたり、体位を変換したりする大きな動きを想定したものであるが、術後患者等におけるじっとしていることによる痛みは、より小さな動きで十分に解消することができる。
【０００７】
本発明は、かかる事情に鑑みてなされたものであって、ベッド自体を大がかりな機構を用いて動かすのではなく、低コスト化が可能な簡易な機構で、術後患者等の体を動かすことが困難な状況にある使用者が体位を微調整することができるマットレスを提供することを課題とする。
【課題を解決するための手段】
【０００８】
すなわち、本発明は、体を動かすことが困難な状況にある使用者を支持する支持マットと、前記支持マットにおける、使用者の動かしたい部位に対応する部分を上方に変位させて使用者の体位を微調整する変位動作部とを有し、前記変位動作部は、前記支持マットの上面よりも突出した高さ位置になるように設けられ、長手方向に沿って水平に移動する２つの移動変位部材と、前記移動変位部材がそれぞれ移動するための２つの通路と、前記２つの移動変位部材をそれぞれ対応する前記通路に沿って移動させる駆動部とを有し、前記いずれかの移動変位部材を所定位置に移動させて、前記支持マットの対応部分を上方に変位させ、使用者の体位を微調整することを特徴とする体位微調整マットレスを提供する。
【０００９】
本発明において、前記変位動作部による変位量は、５ｃｍ以下であることが好ましい。また、前記変位動作部に所望の変位動作をさせるように、使用者が操作する操作部と、前記操作部からの情報に基づき、前記変位動作部を制御する制御部とをさらに有し、前記制御部が前記操作部からの操作情報に基づき、前記制御部が前記駆動部を制御して前記いずれかの移動変位部材を所定位置に移動させることが好ましい。
【発明の効果】
【００１３】
本発明によれば、支持マットにおける、使用者の動かしたい部位に対応する部分を上方に変位させて使用者の体位を微調整する変位動作部を有するので、ベッド自体を大がかりな機構を用いて動かす必要はなく、低コスト化が可能な簡易な機構で、術後患者等の体を動かすことが困難な状況にある使用者が体位を微調整して体の痛みを解消することができる。
【図面の簡単な説明】
【００１４】
【図１】本発明の第１の実施形態に係るマットレスを長手方向に切断した状態を示す断面図である。
【図２】本発明の第１の実施形態に係るマットレスを幅方向に切断した状態を示す断面図である。
【図３】本発明の第１の実施形態に係るマットレスの駆動系を説明するためのブロック図である。
【図４】本発明の第２の実施形態に係るマットレスを長手方向に切断した状態を示す断面図である。
【図５】本発明の第２の実施形態に係るマットレスの駆動系を説明するためのブロック図である。
【図６】本発明の第３の実施形態に係るマットレスを長手方向に切断した状態を示す断面図である。
【図７】本発明の第３の実施形態に係るマットレスを幅方向に切断した状態を示す断面図である。
【図８】本発明の第３の実施形態に係るマットレスの駆動系を説明するためのブロック図である。
【発明を実施するための形態】
【００１５】
以下、添付図面を参照して、本発明の実施の形態について説明する。
＜第１の実施形態＞
まず、第１の実施形態について説明する。
図１は本発明の第１の実施形態に係るマットレスを長手方向に切断した状態を示す断面図、図２はそのマットレスを幅方向に切断した状態を示す断面図、図３はそのマットレスの駆動系を説明するためのブロック図である。
【００１６】
本実施形態のマットレス１００は、ベッド１０に装着して用いるものであり、術後患者等の体を動かすことが困難な状況にある使用者Ｃを支持する支持マット２と、支持マット２の下に設けられ、支持マット２の所定部位を部分的に上方に変位させる変位動作部３と、変位動作部３を支持するベース部４とを有する。
【００１７】
支持マット２は、変位動作部３の変位が使用者Ｃに伝達しやすい厚さおよび弾力を有する寝具用素材からなる。寝具用素材は通常用いられるものの中で選択すればよく、特別なものを用いる必要はない。
【００１８】
変位動作部３は、使用者Ｃの背中および腰に対応する部分に設けられた４つの変位部材６を有し、変位部材６はそれぞれアクチュエータ５により昇降するようになっている。アクチュエータ５はベース部材４に支持されている。なお、アクチュエータ５は特に限定されず、エアシリンダーや電動シリンダー等の通常用いられるものでよい。また、変位部材６の数は特に限定されず、変位部材６を設ける位置も背中および腰に対応する部分に限定されない。
【００１９】
また、変位動作部３は、アクチュエータ５および変位部材６以外の部分を充填する弾力性を有する充填マット７を有しており、充填マット７の上面は支持マット２を支持し、下面はベース部４に支持されている。
【００２０】
図１に示すように、変位部材６は、通常状態ではその表面の高さ位置が充填マット７の表面と同じ高さ位置となっており、図２に示すように、所定の変位部材６を対応するアクチュエータ５によりその位置から上昇させることにより、支持マット２が上方に変位し、使用者Ｃの対応部位を上方に動かして体位を微調整することができるようになっている。
【００２１】
図３に示すように、変位部材６を昇降させるアクチュエータ５は、駆動部１３により駆動されるようになっている。支持マット２上の使用者Ｃの手に届く範囲には操作部としてのリモコン１１が設けられており、使用者Ｃがリモコン１１により動かしたい変位部材６に対応するボタンを操作することにより、その情報が制御部１２に送られ、制御部１２から駆動部１３にその変位部材６に対応するアクチュエータ５への動作指令を与えるようになっている。
【００２２】
以上のように構成されるマットレス１００においては、ベッド１０に装着された状態とされ、術後患者等の体を動かすことが困難な状況にある使用者Ｃが支持マット２上に寝かされる。
【００２３】
使用者Ｃは、体の所定部位を動かしたいと感じた時点で、リモコン１１によりその位置に対応する変位部材６を動かす操作を行う。これにより、その変位部材６に対応するアクチュエータ５が駆動され、変位部材６が上方に変位して支持マット２の対応部分が上方に変位し、使用者Ｃの動かしたい部位を動かして体位を微調整することができる。
【００２４】
このとき、術後患者等の使用者Ｃが受けるじっとしていることによる痛みは、わずかな動きで十分に解消することができ、その際の変位部材６の変位量（ほぼ支持マット２の変位量）が５ｃｍ以下、さらには３ｃｍ以下という小さい変位量でよい。このような小さい変位量でも使用者Ｃの痛みを解消する効果を得ることができる。したがって、アクチュエータ５として単純で小型のものを使用することができ、低コスト化が可能である。また、マットレスが駆動機構を持っているので、ベッド自体は既存のものでよく、必要な患者のみにこのマットレス１００をベッドに装着すればよいので、この面からも低コストである。
【００２５】
なお、変位部材６の数を増加させることにより、よりきめ細かな体位調整が可能であるが、変位部材６の数が増えるとコストが上昇するため、コストとの兼ね合いで変位部材６の数を決定することが望ましい。
【００２６】
＜第２の実施形態＞
次に、第２の実施形態について説明する。
図４は本発明の第２の実施形態に係るマットレスを長手方向に切断した状態を示す断面図、図５はそのマットレスの駆動系を説明するためのブロック図である。
【００２７】
本実施形態のマットレス１０１は、第１の実施形態と同様、ベッド１０に装着して用いるものであり、支持マット２とベース部４とを有しているが、第１の実施形態の変位動作部３の代わりに変位動作部３′を有している。
【００２８】
変位動作部３′は、長手方向に沿って水平に移動する移動変位部材２３を有する。移動変位部材２３は、長手方向に沿って設けられた通路２１内をガイドレール２２に沿って移動するようになっている。移動変位部材２３は、駆動機構が内蔵された本体部２４と、本体部２４の上に設けられた変位部２５を有しており、変位部２５の上端は支持マット２の上面よりも突出した高さ位置になるように設けられている。図５に示すように、通路２１は２列設けられており、２つの移動変位部材２３が、それぞれ対応する通路２１内を移動するようになっている。移動変位部材２３は、使用時以外は使用者Ｃの体の外側に待機されており（例えば図４の破線位置）、使用時には使用者Ｃの所定部位に対応する位置に移動されることにより、その部位を上方に変位させて体位を微調整することができるようになっている。なお、移動変位部材２３の移動方向は長手方向に限らない。
【００２９】
変位動作部３′は、通路２１以外の部分を充填する弾力性を有する充填マット２６（図５）を有しており、充填マット２６の上面は支持マット２を支持し、下面はベース部４に支持されている。
【００３０】
図５に示すように、支持マット２上の使用者Ｃの手に届く範囲には操作部としてのリモコン３１が設けられており、使用者Ｃがリモコン３１により移動変位部材２３の移動位置を指定することにより、その情報が制御部３２に送られ、制御部３２から移動変位部材２３（本体部２４）へ動作指令を与えるようになっている。
【００３１】
以上のように構成されるマットレス１０１においては、支持マット２上に寝かされた体を動かすことが困難な状況にある使用者Ｃは、体の所定部位を動かしたいと感じた時点で、リモコン３１により移動変位部材２３をその位置に対応した位置に移動させる。これにより、移動変位部材２３の変位部２５により支持マット２の対応部分が上方に変位し、使用者Ｃの動かしたい部位を動かして体位を微調整することができる。
【００３２】
このとき、変位部２５上端による支持マット２の変位量は、第１の実施形態の変位部材６の変位量と同様、５ｃｍ以下、さらには３ｃｍ以下でよい。このような小さい変位量でも使用者Ｃの痛みを解消する効果を得ることができる。したがって、本体部２４の駆動機構として単純で小型のものを使用することができ、低コスト化が可能である。また、第１の実施形態と同様、マットレスが駆動機構を持っているので、ベッド自体は既存のものでよく。必要な患者のみにこのマットレス１００をベッドに装着すればよく、この面からも低コストである。さらにまた、本実施形態では、移動変位部材２３の変位部２５の移動過程で使用者Ｃに対するマッサージ効果を得ることもできる。
【００３３】
＜第３の実施形態＞
次に、第３の実施形態について説明する。
図６は本発明の第３の実施形態に係るマットレスを長手方向に切断した状態を示す断面図、図７はそのマットレスを幅方向に切断した状態を示す断面図、図８はそのマットレスの駆動系を説明するためのブロック図である。
【００３４】
本実施形態のマットレス１０２は、第１の実施形態と同様、ベッド１０に装着して用いるものであり、支持マット２とベース部４とを有しているが、第１の実施形態の変位動作部３とは構造が異なる変位動作部３″を有している。
【００３５】
変位動作部３″は、使用者Ｃの背中および腰に対応する部分に設けられた４つの変位部材４１を有している。変位部材４１は、弾力性を有する外殻内に空気等の気体を充填してなり、その中の気体の圧力を上昇させることにより上方に変位するようになっている。
【００３６】
また、変位動作部３″は、変位部材４１以外の部分を充填する弾力性を有する充填マット４２を有しており、充填マット４２の上面は支持マット２を支持し、下面はベース部４に支持されている。
【００３７】
図６に示すように、変位部材４１は、通常状態ではその上端の高さ位置が充填マット４の表面と同じ高さ位置となっており、図７に示すように、所定の変位部材４１の圧力を上昇させて上端を上昇させることにより、支持マット２が上方に変位し、使用者Ｃの対応部位を上方に動かして体位を微調整することができるようになっている。
【００３８】
図８に示すように、変位部材４１内の圧力の調整は、給排気ユニット５３により行われるようになっている。給排気ユニット５３としては、例えば、ポンプにより変位部材４１内に空気等の気体を供給してその中の圧力を上昇させ、バルブユニットにより排気して変位部材４１内の圧力を通常状態に戻すものを用いることができる。支持マット２上の使用者Ｃの手に届く範囲には操作部としてのリモコン５１が設けられており、使用者Ｃがリモコン５１により動かしたい変位部材４１に対応するボタンを操作することにより、その情報が制御部５２に送られ、制御部５２から給排気ユニット５３にその変位部材４１に気体を供給して圧力を上昇させる動作指令を与えるようになっている。
【００３９】
以上のように構成されるマットレス１０２においては、支持マット２上に寝かされた体を動かすことが困難な状況にある使用者Ｃは、体の所定部位を動かしたいと感じた時点で、リモコン５１によりその位置に対応する変位部材４１に空気等の気体を供給する操作を行う。これにより、その変位部材４１内の圧力が上昇してその変位部材４１が上方に変位し、これにともなって支持マットの対応部分が上方に変位し、使用者Ｃの動かしたい部位を動かして体位を微調整することができる。
【００４０】
このとき、変位部材４１の変位量（すなわち支持マット２の変位量）は、第１の実施形態の変位部材６の変位量と同様、５ｃｍ以下、さらには３ｃｍ以下でよい。このような小さい変位量でも使用者Ｃの痛みを解消する効果を得ることができる。したがって、駆動系が大がかりになることがなく、低コスト化が可能である。また、第１の実施形態と同様、マットレスが駆動機構を持っているので、ベッド自体は既存のものでよく、必要な患者のみにこのマットレス１００をベッドに装着すればよく、この面からも低コストである。さらに、気体により使用者Ｃの体位を微調整するので、使用者Ｃへの衝撃をより小さくすることができる。なお、圧力媒体は流体であればよく、気体の代わりに液体を用いてもよい。
【００４１】
なお、第１の実施形態と同様、変位部材４１の数を増加させることにより、よりきめ細かな体位調整が可能であるが、変位部材４１の数が増えるとコストが上昇するため、コストとの兼ね合いで変位部材６の数を決定することが望ましい。
【００４２】
＜他の適用＞
なお、本発明は、上記実施の形態に限定されることなく種々変形可能である。例えば、上記実施形態では、変位動作部として、アクチュエータで変位部材を上方へ変位させるもの、移動変位部材を用いるもの、流体の圧力を用いるものを例示したが、本発明の原理上、使用者を支持する支持マットの所定部分を上方に変位させることができればこれに限るものではないことは言うまでもない。
【符号の説明】
【００４３】
２；支持マット
３、３′３″；変位動作部
４；ベース部材
５；アクチュエータ
６，４１；変位部材
７，２６，４２；充填部材
１０；ベッド
１１，３１，５１；リモコン
１２，３２，５２；制御部
１３；駆動部
２１;通路
２２；ガイドレール
２３；移動変位部材
２４；本体部
２５；変位部
５３；給排気ユニット
１００，１０１，１０２；マットレス
Ｃ；使用者
【要約】
【課題】ベッド自体を大がかりな機構を用いて動かす必要がなく、低コスト化が可能な簡易な機構で、術後患者等の体を動かすことが困難な状況にある使用者が体位を微調整して体の痛みを解消する。
【解決手段】体位微調整マットレス１００は、体を動かすことが困難な状況にある使用者Ｃを支持する支持マット２と、支持マット２における、使用者Ｃの動かしたい部位に対応する部分を上方に変位させて使用者Ｃの体位を微調整する変位動作部６とを有する。
【選択図】  図１【図１】
0005646099.tif 000002
【図２】
0005646099.tif 000003
【図３】
0005646099.tif 000004
【図４】
0005646099.tif 000005
【図５】
0005646099.tif 000006
【図６】
0005646099.tif 000007
【図７】
0005646099.tif 000008
【図８】
0005646099.tif 000009